(57)【要約】【課題】  規格寸法による構造用合板又はボード類を、平面的に所要の大面積に配置し、相互間を接合して形成した基準壁パネルと、該基準壁パネルを所要に積層接合して形成した積層壁パネルを提供しようとする。【解決手段】  構造用合板又はボード類の単位板の規格寸法は長辺１と短辺２の比が２：１であり、基準壁パネルの最小パターンは畳座敷状に各単位板Ａ、Ｂ、Ｃが配設される。すなわち、単位板Ａと単位板Ｃとをその内方の長辺１ｂを対向して配設するとき、単位板Ａの配設数ｎに対して単位板Ｃの配設数はｎ−１となり、これ等の両者に直角に配設される単位板Ｂは任意の配設数が選択される。そして、前記基準壁パネルａの単位板Ａと単位板Ｃの配設向きを逆にしたものが対称壁パネルｂとされ、この基準壁パネルａと対称壁パネルｂとを交互に積層したものが積層壁パネルＲとして建築現場で建て込まれる。【選択図】  図１３
2006037353.tif 000002
【特許請求の範囲】
【請求項１】
長辺と短辺の比が２：１で所要板厚の平面視長方形の合板又はボード類からなる単位板を平面視輪郭矩形状に複数枚接合して成る壁パネルにおいて、
一方の辺縁に外方の長辺を沿わせて短辺相互を突き合わせ、その接合ラインを接合して配設されるｎ枚の単位板Ａと、該辺縁の両端に直角な各直角辺縁に外方の長辺を沿わせて短辺相互を突き合わせ、その接合ラインを接合するとともに、一方の各短辺を両端の各単位板Ａの内方長辺に突き合わせ、各単位板Ａの短辺と直角辺縁に沿う外方の長辺とを面一にしてその接合ラインを接合して配設される所要枚数の単位板Ｂと、前記一方の辺縁に対向する他方の辺縁に外方の長辺を沿わせて短辺相互を突き合わせ、その接合ラインを接合するとともに、両端の各短辺を各単位板Ｂの内方長辺に突き合わせ、各単位板Ｂの他方端の短辺と他方の辺縁に沿う外方の長辺とを面一にしてその接合ラインを接合して配設されるｎ−１枚の単位板Ｃとから成り、平面視輪郭矩形状で中央に矩形空間部Ｗが形成されることを特徴とする基準壁パネル。
【請求項２】
前記直角辺縁の一方において、その一端から短辺幅で所要深さＴなる凹部が短辺幅の凸部を挟んで形成され、他方では前記凸部に位相を合致させて該凸部が嵌着される幅で前記深さＴなる凹部が、各短辺幅の凸部に挟まれて形成されて成る請求項１記載の基準壁パネル。
【請求項３】
請求項１又は２に記載した基準壁パネルと、該基準壁パネルを前記一方の辺縁方向に裏返ししてなる対称壁パネルとを交互に所要数積層接合して成り、両壁パネルの各接合ラインが直接重なり合わないことを特徴とする積層壁パネル。
【発明の詳細な説明】
【技術分野】
【０００１】
本発明は、主として規格寸法よりなる構造用合板で成形される大面積の壁パネルを基本とし、この壁パネルを所要に積層した大面積、大断面の積層壁パネルに関する。
【背景技術】
【０００２】
従来から提供されている規格構造用合板を用いた壁パネルは、特開平０９−２６８６９７号公報や特開平１１−３３６２２４号公報に開示されるように、木枠や枠組みに前記合板を接合するもので建て込み面積も窓枠の外周面を含む大面積なものはなく、建築現場での壁面構築に多くの手間とコストを要していた。
【特許文献１】特開平０９−２６８６９７号公報
【特許文献２】特開平１１−３３６２２４号公報
【発明の開示】
【発明が解決しようとする課題】
【０００３】
本発明は、規格寸法による構造用合板又はボード類を平面的に所要の大面積に配置し、相互間を接合して形成した基準壁パネルと、該基準壁パネルを所要に積層接合して形成した積層壁パネルを提供しようとする。
【課題を解決するための手段】
【０００４】
本発明の請求項１に記載した基準壁パネルは、長辺と短辺の比が２：１で所要板厚の平面視長方形の合板又はボード類からなる単位板を平面視輪郭矩形状に複数枚接合して成る壁パネルにおいて、
一方の辺縁に外方の長辺を沿わせて短辺相互を突き合わせ、その接合ラインを接合して配設されるｎ枚の単位板Ａと、該辺縁の両端に直角な各直角辺縁に外方の長辺を沿わせて短辺相互を突き合わせ、その接合ラインを接合するとともに、一方の各短辺を両端の各単位板Ａの内方長辺に突き合わせ、各単位板Ａの短辺と直角辺縁に沿う外方の長辺とを面一にしてその接合ラインを接合して配設される所要枚数の単位板Ｂと、前記一方の辺縁に対向する他方の辺縁に外方の長辺を沿わせて短辺相互を突き合わせ、その接合ラインを接合するとともに、両端の各短辺を各単位板Ｂの内方長辺に突き合わせ、各単位板Ｂの他方端の短辺と他方の辺縁に沿う外方の長辺とを面一にしてその接合ラインを接合して配設されるｎ−１枚の単位板Ｃとから成り、平面視輪郭矩形状で中央に矩形空間部Ｗが形成される。
【０００５】
請求項２に記載した基準壁パネルは、前記直角辺縁の一方において、その一端から短辺幅で所要深さＴなる凹部が短辺幅の凸部を挟んで形成され、他方では前記凸部に位相を合致させて該凸部が嵌着される幅で前記深さＴなる凹部が、各短辺幅の凸部に挟まれて形成されて成る。
【０００６】
請求項３に記載した積層壁パネルは、請求項１又は２に記載した基準壁パネルと、該基準壁パネルを前記一方の辺縁方向に裏返ししてなる対称壁パネルとを、交互に所要数積層接合して成る。
【発明の効果】
【０００７】
本発明の基準壁パネルによれば、一方の辺縁と他方の辺縁とを逆にしたときに、各接合ラインは縦横それぞれ短辺分ずれた状態になり、積層するときは基準壁パネルと対称壁パネルが交互に積み重ねられるから、強度上の弱点である接合ラインが直接重なり合うことがなく、風圧に対する曲げ強度が確保される。また、直角辺縁に凹部と凸部を形成した基準壁パネルを積層した積層壁パネルでは上下方向の接合強度が組接ぎによって保持されるので、隅部は柱の作用をして強固に構築される。このように木枠や枠組みを不要とするほか、壁パネルの取付けにおいては柱などの軸組み構造を不要とするから、現場作業が極めて省力化、低コスト化された壁面を構築できる効果がある。
【発明を実施するための最良の形態】
【０００８】
単位板Ａ、Ｂ、Ｃの各短辺相互及び短辺と長辺との接合ラインは、その近傍両端部に掘り込まれた浅い溝内に金具が埋められ、鋲でカシメ止めされて接合されたり、ジベルで接合されるなどである。また、凹部における深さＴは使用する単位板の板厚保寸法と同等のものから、壁パネルの積層数Ｐに応じた深さ、すなわちＴ＝Ｐｔ寸法まで選択されるものであり、前者のＴ＝ｔで積層数Ｐの場合では、一層目の一方の辺縁（他方の辺縁も同じ）の全長をＬとすると、二層目の全長はＬ−２ｔであり、三層目の全長はＬ−４ｔとなり、したがって、Ｐ層目の全長はＬ−（Ｐ−１）２ｔと成る。このように各層分の基準パネルが量産され、矩形空間部Ｗで位置決めされてＰ層積層された状態で接合されたものが工場生産され建築現場に持ち込まれる。さらに、後者のＴ＝Ｐｔの場合には前記全長は各層ともＬであり、矩形空間部Ｗ又は外周縁が位置決め端となってＰ層積層された状態で接合されたものが前記と同様に工場生産される。
積層壁パネルにおいて特定層の基準壁パネル（反転状態で使用すれば対称壁パネルとなる。）を合板と同規格の不燃物板や金属板により接合形成したものとして用途を拡大したり、強度を高めることもできる。
【実施例】
【０００９】
本発明の実施例を説明すると、使用される構造用合板（以下、単位板とする。）はその長辺寸法が1820mmで短辺寸法が910mmである。したがって、長辺１と短辺２の比が２：１で板厚ｔは24乃至35mmまでのものが対象とされる。
本発明の基準壁パネルａは図１（ａ）に示すように、上部の辺縁に外方の長辺１ａを沿わせて短辺２相互を突き合わせ、その接合ライン３を仮想線で示した埋込金具４で接合して配設される２枚（ｎ＝２）の単位板Ａと、該辺縁の両端に直角な各直角辺縁に外方の長辺１ａを沿わせて上部の各短辺２を各単位板Ａの内方の長辺１ｂに突き合わせ、各単位板Ａの短辺２と直角辺縁に沿う外方の長辺１ａとを面一にしてその接合ライン３を埋込金具４で接合して配設される1枚の各単位板Ｂと、前記上部の辺縁に対向する下部の辺縁に外方の長辺１ａを沿わせて左右の各短辺２を各単位板Ｂの内方の長辺１ｂに突き合わせ、各単位板Ｂの下部の短辺２と下部の辺縁に沿う外方の長辺１ａとを面一にしてその接合ライン３を埋込金具４で接合して配設される1枚（ｎ−１）の単位板Ｃとから成り、各単位板Ａ、Ｂ、Ｃには左右及び上下対称に鋲締め用の孔５が開けられ、平面視輪郭矩形状で中央に矩形空間部Ｗが形成されて成る。
そして、図１（ｂ）に示した対称壁パネルｂは、基準壁パネルａを上下方向に反転したものである。
【００１０】
基準壁パネルａが最小単位のものであるに対し、図２（ａ）に示した基準壁パネルｃは２枚の単位板Ａに対し、左右の単位板Ｂをそれぞれ２枚とし、下方の単位板Ｂ、Ｂ間に単位板Ｃを接合したものであり、各接合ライン３における埋込金具４による接合と鋲締め用の孔５を省略したもので、中央に矩形空間部Ｗが形成されて成る。
そして、図２（ｂ）に示した対称壁パネルｄは、基準壁パネルｃを上下方向に反転したものである。
【００１１】
図３に示した基準壁パネルｅは３枚（ｎ＝３）の単位板Ａと、その左右で接合されるそれぞれ２枚の単位板Ｂと、下方の単位板Ｂ、Ｂ間に接合される２枚（ｎ−１）の単位板Ｃとから成り、各接合ライン３における埋込金具４による接合と鋲締め用の孔５を省略したもので、中央に矩形空間部Ｗが形成されて成る。
この基準壁パネルｅを上下方向に反転したものが対称壁パネルｆとして積層壁パネルの成形時に使用される。
【００１２】
図４に示した基準壁パネルｇは、４枚（ｎ＝４）の単位板Ａと、その左右で接合されるそれぞれ３枚の単位板Ｂと、下方の単位板Ｂ、Ｂ間に接合される３枚（ｎ−１）の単位板Ｃとから成り、各接合ライン３における埋込金具４による接合と鋲締め用の孔５を省略したもので、中央に矩形空間部Ｗが形成されて成る。
前記と同様に、この基準壁パネルｇを上下方向に反転したものが対称壁パネルｈとして使用され、仮想線で示すように、矩形空間部Ｗに基準壁パネルｅを嵌着接合して基準壁パネルを成形することもできる。
【００１３】
次に、基準壁パネルａとその対称壁パネルｂによる積層壁パネルＲの形成について説明すると、図５（ａ）に示すように、左右の直角辺縁間、すなわち、上方の単位板Ａ、Ａの左右の短辺２、２間の全長をＬとすると、４層構造の場合では、図５（ｂ）に示すように、１層目の基準壁パネルａの全長がＬであり、２層目の対称壁パネルｂの全長は単位板の板厚をｔとすればＬ−２ｔとなり、３層目の基準壁パネルａはその全長がＬ−４ｔであり、４層目の対称壁パネルｂの全長はＬ−６ｔとなる。各層毎の基準壁パネルａと対称壁パネルｂが量産されて図６に示すように、壁面の内側から４層目の対称壁パネルｂが四周に渡ってスクリュー釘６を打ち付けることで平面視方形状に固定され、その上から四周に渡って３層目の基準壁パネルａがスクリュー釘６で固定され、その上から四周に渡って２層目の対称壁パネルｂがスクリュー釘６で固定され、最後にその上から四周に渡って１層目の最外壁パネルである基準壁パネルａがスクリュー釘６で固定されて４層重ねた状態で孔５を介して鋲締め仕上げされる。
【００１４】
積層壁パネルＲの形成において図７に示すように、基準壁パネルａと対称壁パネルｂとに組接ぎ用の凹部７と凸部８を配設して組み付ける場合について説明する。
図７（ａ）に示した基準壁パネルａは、左方の直角辺縁において、単位板Ａの短辺２にその幅で深さＴが板厚ｔと同等の寸法から成る凹部７が欠設されるとともに、左方の単位板Ｂの外方の長辺に、その下端から前記短辺２の幅で深さＴが板厚ｔと同等の寸法から成る凹部７が中央に短辺２の幅で板厚七分突出した凸部８を挟んで欠設され、右方の直角辺縁においては右方の単位板Ｂの外方長辺１ａにその上端から凸部８を嵌着する幅で深さＴが板厚ｔと同寸法の凹部７が形成され、両単位板Ｂ，Ｂの外方長辺１ａ間の全長がＬとして形成される。
図７（ｂ）に示された対称壁パネルｂは、図７（ａ）の基準壁パネルａを単位板Ａと単位板Ｃの方向に反転したものである。
このようにして成る凹部７と凸部８を有する基準壁パネルａと対称壁パネルｂとの４層構造について説明すると、図８に示すように、１層目の基準壁パネルａの全長がＬであり、２層目の対称壁パネルｂの全長はＬ−２ｔであり、３層目の基準壁パネルａの全長はＬ−４ｔとなり、４層目の対称壁パネルｂの全長はＬ−６ｔとなり、各層毎の基準壁パネルａと対称壁パネルｂが量産されて各層毎の一方の凹部７に他方の凸部８が嵌着されて図６で説明したように内側から順次に外側へ向けて組み付けられたり、或は矩形空間部Ｗの周縁を位置決め端として図９に示すように、４層を一まとめに鋲締めして積層壁パネルＲを成形し、これ等を４個各隅部で組接ぎして図１０に示すように、四周の壁面を構築する。
【００１５】
組接ぎ用の凹部７と凸部８を形成する基準壁パネルａと対称壁パネルｂの他の実施態様について説明すると、図１１に示す基準壁パネルａは左方の直角辺縁に欠設する凹部７を上下端からそれぞれ短辺２の幅で深さＴがＰｔ（積層数をＰとしたとき板厚ｔとの関係から）で中央の凸部８を挟んで配設され、右方の直角辺縁には左方の凸部８に嵌着する幅で深さＴがＰｔなる凹部７が欠設され、その左右の直角辺縁間の全長がＬとして形成されて量産される。積層壁パネルＲの形成では図１２に示すように、基準壁パネルａが反転されて対称壁パネルｂとして交互に４層積層接合される。
【００１６】
このようにして形成された積層壁パネルＲは図１３に示すように、一方の凹部７に他方の凸部８が組接ぎされ、他方の凹部７に一方の凸部８が組接ぎされて壁面が構築され、矩形空間部Ｗには窓枠（図外）が嵌着される。
【００１７】
図１４に示した積層壁パネルＳは、図２に示した基準壁パネルＣと対称壁パネルｄを交互に４層接合し、然る後に横向き状態で左方の直角辺縁の上端から短辺２の幅で深さＴが（板厚ｔとして）４ｔなる凹部７を短辺２の幅のピッチで欠設し、右方の直角辺縁には左方の凹部７に嵌着する凸部８を残して左方の凸部８に嵌着する凹部７が欠設される。
この積層壁パネルＳのように所要層積層後に凹部７と凸部８を欠設する場合には、左右の直角辺縁において相互に嵌着できる位相であれば深さＴを除いて（深さＴは積層数Ｐと板厚ｔの関係でＰｔであるから）その凹部７と凸部８の幅や位置は任意に選択できる。
【００１８】
積層壁パネルＲと土台９との結合例を説明すると、図１５に示すように、積層壁パネルＲの下端には凹溝１０が形成され、布基礎１１に埋設されたアンカーボルト１２にナット１３を螺合して布基礎１１の上面に締結された土台９には凸条１４が形成され、凸条１４に凹溝１０が嵌着され、この状態で外面側から横設されるボルト１５にナット１６を締結することで積層壁パネルＲが土台９に結される。出入口に関しては積層壁パネルの形成後、下部を切除して門型のものとして提供される。
【産業上の利用可能性】
【００１９】
本発明は積層壁パネルＲとして、プレハブからツーバイフォー工法に及ぶ建物の壁面構築に利用されて建築現場での作業の省力化、低コスト化を実現して建築業界に期待されるとともに、規格寸法の構造用合板及び／又はボード類を基本とするものであるから、合板製造業界やボード類製造業界の活性化に資する。
【図面の簡単な説明】
【００２０】
【図１】本発明における単位板Ａ、Ｂ、Ｃの配設接合の説明図で、（ａ）は基準壁パネルａの平面図、（ｂ）は対称壁パネルｂの平面図。
【図２】本発明の他の実施態様における単位板Ａ、Ｂ、Ｃの配設接合の説明図で、（ａ）は基準壁パネルｃの平面図、（ｂ）は対称壁パネルｄの平面図。
【図３】本発明の他の実施態様における単位板Ａ、Ｂ、Ｃの配設接合による基準壁パネルｅの平面図で、上下方向に反転したものが対称壁パネルｆである。
【図４】本発明の他の実施態様における単位板Ａ、Ｂ、Ｃの配設接合による基準壁パネルｇの平面図で、上下方向に反転したものが対称壁パネルｈである。
【図５】本発明の積層壁パネルＲの構成説明図で、（ａ）は基準壁パネルａの平面図、（ｂ）は４層積層する場合の基準壁パネルａと対称壁パネルｂの全長の説明図。
【図６】本発明の積層壁パネルＲによる壁面構築の説明図。
【図７】本発明における単位板Ａ、Ｂ、Ｃの配設接合の説明図で、（ａ）は組接ぎ用の基準壁パネルａの平面図、（ｂ）は組接ぎ用の対称壁パネルｂの平面図。
【図８】４層積層する積層壁パネルＲを構成する組接ぎ用の基準壁パネルａと対称壁パネルｂの全長の説明図。
【図９】本発明の積層壁パネルＲの平面図。
【図１０】積層壁パネルＲによる壁面構築の斜視図。
【図１１】組接ぎ用の他の実施態様における基準壁パネルａの平面図で、上下方向に反転したものが対称壁パネルｂである。
【図１２】組接ぎ用の他の実施態様における積層壁パネルＲの斜視図。
【図１３】積層壁パネルＲの組接ぎによる壁面構築の斜視図。
【図１４】他の実施態様における組接ぎ用の積層壁パネルＳの斜視図。
【図１５】積層壁パネルＲの土台９への結合状態の説明図。
【符号の説明】
【００２１】
１：長辺
２：短辺
３：接合ライン
４：埋込金具
５：孔
６：スクリュー釘
７：凹部
８：凸部
９：土台
１０：凹溝
１１：布基礎
１２：アンカーボルト
１３：ナット
１４：凸条
１５：ボルト
１６：ナット
ａ、ｃ、e、ｇ：基準壁パネル
ｂ、ｄ、ｆ、ｈ：対称壁パネル
Ａ、Ｂ、Ｃ：単位板
Ｗ：矩形空間部
ｍ：単位板Ａの数
Ｔ：深さ
ｔ：各単位板Ａ、Ｂ、Ｃの板厚
Ｐ：積層数
Ｒ、Ｓ：積層壁パネル
【図１】
2006037353.tif 000003
【図２】
2006037353.tif 000004
【図３】
2006037353.tif 000005
【図４】
2006037353.tif 000006
【図５】
2006037353.tif 000007
【図６】
2006037353.tif 000008
【図７】
2006037353.tif 000009
【図８】
2006037353.tif 000010
【図９】
2006037353.tif 000011
【図１０】
2006037353.tif 000012
【図１１】
2006037353.tif 000013
【図１２】
2006037353.tif 000014
【図１３】
2006037353.tif 000015
【図１４】
2006037353.tif 000016
【図１５】
2006037353.tif 000017